(57)【要約】【課題】  撮影時に簡易に基準位置を指定し、指定した基準位置に応じて適正な露出制御を行うことができる画像処理装置及び撮像装置を提供する。【解決手段】  被写体を撮像して得られた撮像画像を表示するタッチパネル機能付ＬＣＤ１２を備え、撮像画像を複数領域に分割したときの各分割領域毎の測光値Eviを算出すると共に、タッチパネル機能付ＬＣＤ１２に表示された撮像画像内の基準位置（主被写体部の位置）がタッチ指定されたときに、該タッチ指定された基準位置に応じて分割領域毎の重み付け係数を決定し、該決定した重み付け係数及び上記算出した分割領域毎の測光値Eviに基づいた重み付け演算によって撮像画像全体の測光値（分割測光値Ev）を算出し、該算出した分割測光値Evに基づいて露出制御を行う。【選択図】  図２
2006053250.tif 000002
【特許請求の範囲】
【請求項１】
被写体を撮像して得られた撮像画像を表示する表示手段と、
前記撮像画像を複数領域に分割したときの各分割領域毎の輝度レベルを検出する検出手段と、
前記表示手段に表示された撮像画像内の基準位置が指定されたときに、該指定された基準位置に応じて前記分割領域毎の重み付け係数を決定し、該決定した重み付け係数及び前記検出手段で検出された輝度レベルに基づいた重み付け演算によって前記撮像画像全体の輝度レベルを算出する算出手段と、
前記算出手段で算出された輝度レベルに基づいて露出制御を行う露出制御手段と、
を含む画像処理装置。
【請求項２】
前記表示手段は、タッチパネル機能を備え、
前記基準位置は、前記表示手段に表示された撮像画像内をタッチ指定された位置である請求項１記載の画像処理装置。
【請求項３】
前記算出手段は、前記指定された基準位置に対応する分割領域に近いほど重み付け係数が大きくなるように前記分割領域毎の重み付け係数を決定する請求項１または請求項２記載の画像処理装置。
【請求項４】
前記露出制御手段は、前記算出手段で算出された輝度レベルに基づいてシャッター速度及び絞り値の少なくとも一方を制御することにより露出制御を行う請求項１乃至請求項３のいずれか１項記載の画像処理装置。
【請求項５】
被写体を撮像する撮像素子と、
前記撮像素子により被写体を撮像して得られた撮像画像を表示する表示手段と、
前記撮像画像を複数領域に分割したときの各分割領域毎の輝度レベルを検出する検出手段と、
前記表示手段に表示された撮像画像内の基準位置が指定されたときに、該指定された基準位置に応じて前記分割領域毎の重み付け係数を決定し、該決定した重み付け係数及び前記検出手段で検出された輝度レベルに基づいた重み付け演算によって前記撮像画像全体の輝度レベルを算出する算出手段と、
前記算出手段で算出された輝度レベルに基づいて露出制御を行う露出制御手段と、
前記露出制御手段で制御された露出状態で前記撮像素子により撮像して得られた被写体の撮像画像を記録する記録手段と、
を含む撮像装置。
【発明の詳細な説明】
【技術分野】
【０００１】
本発明は、画像処理装置及び撮像装置に関し、特に、簡易に露出補正を行うことができる画像処理装置及び撮像装置に関する。
【背景技術】
【０００２】
銀塩カメラやデジタルカメラに搭載されている自動露出機能は、複数の測光を行う測光光学系と、測光値を演算する測光演算機能により構成される。この従来の自動露出機能では、どのような撮影画像に対しても同一の測光点（測光位置）で測光を行い、及び同一の測光の重み付け係数で演算処理を行っているために、画面内の主被写体の位置によっては、主被写体が適正露出されずに、撮影者が意図しない画像になる場合がある。
【０００３】
銀塩カメラで撮影された写真フィルムを現像する焼き付け時に、写真フイルムの磁気記録部に記録された主被写体位置の濃度を基準として露出補正を行い、撮影者の意図する写真をプリントするカメラシステムが提案されている（例えば、特許文献１参照。）。
【特許文献１】特開平０６−４３５４７号公報
【発明の開示】
【発明が解決しようとする課題】
【０００４】
上述した従来のカメラシステムでは、撮影後の現像（焼き付け）時に、位置決め部分の濃度を基準として焼付濃度を補正することにより露出補正を行うため、撮影時点で露出補正を行うことができない。これでは記録媒体に適正露出補正がなされていない状態で撮影画像が記録されることとなるため、撮影画像をプリントせずに画像データとして保存するケースが多いデジタルカメラには適用できない。また、従来のカメラシステムでは、主被写体の位置決めを、ターゲットマークをＸ、Ｙ軸方向に移動させるような形で行うため、操作性に劣り、被写体の位置を決定しにくい。
【０００５】
本発明は、上記問題を解決すべく成されたもので、撮影時に簡易に基準位置を指定し、指定した基準位置に応じて適正な露出制御を行うことができる画像処理装置及び撮像装置を提供することを目的とする。
【課題を解決するための手段】
【０００６】
上記目的を達成するために、本発明の画像処理装置は、被写体を撮像して得られた撮像画像を表示する表示手段と、前記撮像画像を複数領域に分割したときの各分割領域毎の輝度レベルを検出する検出手段と、前記表示手段に表示された撮像画像内の基準位置が指定されたときに、該指定された基準位置に応じて前記分割領域毎の重み付け係数を決定し、該決定した重み付け係数及び前記検出手段で検出された輝度レベルに基づいた重み付け演算によって前記撮像画像全体の輝度レベルを算出する算出手段と、前記算出手段で算出された輝度レベルに基づいて露出制御を行う露出制御手段と、を含んでいる。
【０００７】
本発明の画像処理装置の表示手段は、被写体を撮像して得られた撮像画像を表示する。
また、検出手段は、撮像画像を複数領域に分割したときの各分割領域毎の輝度レベルを検出する。輝度レベルは、例えば、撮像画像のＲ，Ｇ，Ｂの各色画像信号から求めることができるが、専用のセンサで検出してもよい。
【０００８】
算出手段は、表示手段に表示された撮像画像内の基準位置が指定されたときに、該指定された基準位置に応じて前記分割領域毎の重み付け係数を決定する。指定される基準位置としては例えば、主被写体部の位置とすることができる。算出手段は更に、決定した重み付け係数及び検出手段で検出された輝度レベルに基づいた重み付け演算によって撮像画像全体の輝度レベルを算出する。重み付け演算は、例えば、重み付け計数を用いて各分割領域の輝度レベルの重み付け平均を演算するようにしてもよいし、重み付け計数で重み付けした各分割領域の輝度レベルの総和を演算するようにしてもよい。。
【０００９】
露出制御手段は、算出手段で算出された撮像画像全体の輝度レベルに基づいて露出制御を行う。例えば、前記算出手段で算出された輝度レベルに基づいてシャッター速度及び絞り値の少なくとも一方を制御することにより露出制御を行うことができる。
【００１０】
このような画像処理装置によれば、撮影時に指定された基準位置に応じて適正な露出制御を簡易に行うことができる。
【００１１】
なお、前記表示手段は、タッチパネル機能を備え、前記基準位置は、前記表示手段に表示された撮像画像内をタッチ指定された位置とすることができる。このような構成により、簡易に基準位置を指定することができる。
【００１２】
また、前記算出手段は、前記指定された基準位置に対応する分割領域に近いほど重み付け係数が大きくなるように前記分割領域毎の重み付け係数を決定することができる。これにより、指定した基準位置付近の測光値に重点におくことができ、操作者にとってより好ましい露出制御を行うことができる。
【００１３】
また、本発明の撮像装置は、被写体を撮像する撮像素子と、前記撮像素子により被写体を撮像して得られた撮像画像を表示する表示手段と、前記撮像画像を複数領域に分割したときの各分割領域毎の輝度レベルを検出する検出手段と、前記表示手段に表示された撮像画像内の基準位置が指定されたときに、該指定された基準位置に応じて前記分割領域毎の重み付け係数を決定し、該決定した重み付け係数及び前記検出手段で検出された輝度レベルに基づいた重み付け演算によって前記撮像画像全体の輝度レベルを算出する算出手段と、前記算出手段で算出された輝度レベルに基づいて露出制御を行う露出制御手段と、前記露出制御手段で制御された露出状態で前記撮像素子により撮像して得られた被写体の撮像画像を記録する記録手段と、を含んでいる。
【００１４】
本発明の撮像装置も、本発明の画像処理装置と同様に作用するため、撮影時に指定された基準位置に応じて適正な露出制御を簡易に行うことができる。
【発明の効果】
【００１５】
以上説明したように本発明の画像処理装置及び撮像装置によれば、撮影時に簡易に基準位置を指定し、指定した基準位置に応じて適正な露出制御を行うことができる、という優れた効果を奏する。
【発明を実施するための最良の形態】
【００１６】
以下、図面を参照して、本発明の実施の形態について詳細に説明する。
【００１７】
まず、図１を参照して、本実施の形態に係るデジタルカメラ１０の外観上の構成を説明する。
【００１８】
図１（Ａ）に示されるように、デジタルカメラ１０の正面には、被写体像を結像させるためのレンズ１４と、撮影する被写体の構図を決定するために用いられるファインダ１６と、電源スイッチ１８と、ストロボ２０とが備えられている。また、図示は省略するが、デジタルカメラ１０の上面には、撮影を実行する際に押圧操作されるレリーズボタン（所謂シャッター）が備えられている。
【００１９】
デジタルカメラ１０では、レリーズボタンを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２０】
図１（Ｂ）に示されるように、デジタルカメラ１０の背面には、前述のファインダ１６の接眼部と、タッチパネル機能付ＬＣＤ１２（以下、ＬＣＤ１２と略称する）とが備えられている。ＬＣＤ１２には、デジタルカメラ１０に取り込まれた（具体的にはレンズ１４を透過し後述するＣＤＤ２８で受光されて出力された）画像信号を動画像的に連続表示するスルー画像（撮像画像）表示、後述する記録メディアＩ／Ｆ３８に接続された外部メモリに記録されている画像の表示、その他各種メニュー画面やメッセージなどが表示される。また、ＬＣＤ１２は、タッチパネル用のペン型入力棒７０や操作者の指先等によって接触指示（タッチ指定）されることにより各種情報が指示入力される。
【００２１】
更に、デジタルカメラ１０の背面には、撮影を行うモードである撮影モードを選択するためのモードスイッチ２２が設けられている。このモードスイッチ２２を操作することにより、人物を撮影する場合に適した人物モード、風景を撮影する場合に適した風景モード、及び夜景を撮影する場合に適した夜景モード等の撮影モードに設定することができる。
【００２２】
図２は、デジタルカメラ１０の電気系の主要構成を示した図である。
【００２３】
図示されるように、デジタルカメラ１０には、レンズ１４、レンズ１４を通過する光の光量を調整する絞り２６、レンズ１４及び絞り２６を通過した被写体からの光を受光素子により受光して被写体像を示すＲ、Ｇ、Ｂ３色のカラーアナログ画像信号を出力する撮像素子としてのＣＣＤ２８、レンズ１４を移動させたり、絞り２６を調整するためのモータ３２、及び後述する制御部３０からの制御信号に応じて該モータ３２を駆動するモータドライバ３４が設けられている。
【００２４】
また、デジタルカメラ１０は、制御部３０、アナログＬＳＩ５０、カメラオートＤＳＰ４０、ストロボ制御ユニット３６、及び記録メディアＩ／Ｆ３８を備え、各々ＢＵＳを介して電気的に接続されている。
【００２５】
制御部３０は、撮影時の露出制御を含むデジタルカメラ１０の動作全体の制御を行う。制御部３０は、撮影露出値算出部３０ａと、メモリ３０ｂとを含んで構成される。撮影露出値３０ａは、制御部３０が実行する露出制御のうち、撮影露出値EVを算出する処理を実行する。メモリ３０ｂは、ＬＣＤ１２で指示入力された各種情報、カメラオートＤＳＰ４０から転送された分割測光値Evの情報、撮影露出値算出部３０ａで算出された撮影露出値EV等を一時的に記憶するためのメモリである。
【００２６】
アナログＬＳＩ５０は、ＣＣＤ２８から出力されたアナログ画像信号をデジタル画像信号に変換するＡ／Ｄ変換部５０ａ及びＣＣＤ２８を駆動制御するための駆動信号を発生するＣＣＤ駆動信号発生部５０ｂを含んで構成されている。Ａ／Ｄ変換部５０ａ及びＣＣＤ駆動信号発生部５０ｂは、制御部３０から出力されるタイミング信号によって同期して駆動される。
【００２７】
カメラオートＤＳＰ４０（以下、ＤＳＰ４０）は、Ａ／Ｄ変換部５０ａからのデジタル画像信号をバッファメモリ４０ａに一旦格納し、バッファメモリ４０ａに格納したデジタル画像信号に対して所定のデジタル信号処理を施す。所定のデジタル信号処理が施されたデジタル画像信号は、メモリ３０ｂに一旦記憶され、該メモリ３０ｂから記録メディアＩ／Ｆ３８を介してデジタルカメラ１０に対して着脱可能な記録メディアに出力され記録されたり、ＬＣＤ１２に出力され表示されたりする。なお、ここでは、ＤＳＰ４０内のデジタル信号処理を行う部分についは図示を省略する。
【００２８】
ところで、本実施の形態のデジタルカメラ１０では、撮像画像を複数（本実施の形態では８×８の合計６４）の領域に分割したときの各分割領域における測光値（測光値は、本発明の輝度レベルに相当する）の重み付け平均を演算することによって撮像画像全体としての測光値（分割測光値Ev）を算出し、算出した分割測光値Evに基づいて撮影の際の露出を制御している。この際、上記分割測光値Evの算出に用いる各分割領域の重み付け係数は、操作者が指定した主被写体部の位置に応じて決定する。なお、各分割領域の重み付け係数の決定及び分割測光値Evの算出は、ＤＳＰ４０の分割測光値算出部４０ｂが行う。
【００２９】
ストロボ制御ユニット３６は、制御部３０からの制御信号に応じて、ストロボ２０の発光を制御する。
【００３０】
図３は、撮影時のデジタルカメラ１０の露出制御動作の流れを示したフローチャートであり、（Ａ）が制御部３０の処理ルーチン、（Ｂ）がＤＳＰ４０の処理ルーチンを示している。
【００３１】
まず、操作者が電源スイッチ１８をオンにして、ＬＣＤ１２に被写体のスルー画像が表示された状態で、制御部３０の処理ルーチンが開始される。制御部３０は、ステップ１００において、操作者によりＬＣＤ１２に表示されたスルー画像内の位置が指定されたか否かを判断する。なお、ここでは操作者は、表示されたスルー画像内の位置をペン型入力棒７０あるいは操作者の指先で１カ所指定することができる。ステップ１０２では、上記指定された位置の情報を主被写体部を示す位置の情報としてメモリ３０ｂに格納する。なお、ここで指定された位置は本発明における基準位置に相当する。
【００３２】
ステップ１０４では、ＤＳＰ４０にこの位置情報を転送する。
【００３３】
一方、ＤＳＰ４０では、ステップ２００で、制御部３０から位置情報を入力したか否かを判断する。制御部３０から出力された位置情報がＤＳＰ４０に入力された場合には、ステップ２０２で、入力された位置情報が示す主被写体部として指定された位置が、撮像画像を複数領域に分割したときの分割領域のいずれの領域に対応するかに応じて、上述した分割測光値Evを算出するために用いられる各分割領域の重み付け係数を決定する。
【００３４】
なお、本実施の形態では、上述したように撮像画像を６４個の領域に分割して測光値を演算するため、予め複数種類の重み付けテーブルが各分割領域に対応付けられてデジタルカメラ１０に搭載された不図示の不揮発性メモリに記憶されている。ＤＳＰ４０の分割測光値算出部４０ｂは、主被写体部として指定された位置が６４個の分割領域のいずれの領域に対応するかを判断し、対応すると判断した分割領域に対応付けられて記憶されている重み付けテーブルに基づいて、各分割領域の重み付け係数を決定する。
【００３５】
図４（１）〜（９）は、操作者によって指定された主被写体部の位置の例を示した図である。また、図５−１〜図５−９は、図４（１）〜（９）の主被写体部の位置に対応する分割領域に対応付けられて記憶されている重み付けテーブルの一例である。
【００３６】
図５−１〜図５−９において、各分割領域に示されるｘ、ｙの座標値は、撮像画像の中央部の位置を基準とした各分割領域の座標値を示している。ここでは、中央部より左側にいくほどｘの値が小さく、右側にいくほどｘの値が大きく、中央部より上側にいくほどｙの値が小さく、中央部より下側にいくほどｙの値が大きくなるような座標系が適用されている。また、各分割領域に示されるＡ〜Ｅのアルファベットは、各分割領域ごとに設定された重み付け係数を示している。各重み付け係数の大きさは、その関係がＡ＞Ｂ＞Ｃ＞Ｄ＞Ｅとなるように設定されている。
【００３７】
操作者により、図４（１）に示されるように主被写体部の位置として撮像画像の中央部分が指定され、ステップ２０２で、該指定された位置に対応する分割領域が、（ｘ、ｙ）に位置する分割領域であると判断された場合には、図５−１の重み付けテーブルに設定された重み付け係数が分割測光値Evを算出する際に使用される重み付け係数として決定される。図に示されるように、指定された分割領域及び該分割領域付近の４つの分割領域（ｘ、ｙ）、（ｘ＋１，ｙ）、（ｘ，ｙ＋１）、（ｘ＋１，ｙ＋１）の重み付け係数には最も値の大きいＡが設定されており、その周辺の分割領域の重み付け係数にはＡの次に値の大きいＢが設定されており、更に重み付け係数Ｂが設定された分割領域のｘ方向周辺に位置する分割領域の重み付け係数にはＢの次に値の大きいＣが設定されており、重み付け係数Ｂ及びＣが設定された分割領域のｙ方向周辺に位置する分割領域にはＣの次に値の大きいＤが設定されており、残りの分割領域には最も値の小さいＥが設定されている。すなわち、分割領域が主被写体部の位置に対応する分割領域に近いほどその重み付け係数の大きさは大きくなる。
【００３８】
また、図４（２）に示されるように主被写体部の位置として撮像画像の右斜め上部分が指定され、該指定された位置に対応する分割領域が、（ｘ＋２，ｙ−２）に位置する分割領域であった場合には、図５−２に示されるような重み付けテーブルに設定された重み付け係数が、分割測光値Evを算出する際に使用される重み付け係数として決定される。この場合も、指定された分割領域及び該分割領域付近の４つの分割領域（ｘ＋２，ｙ−２）、（ｘ＋３，ｙ−２）、（ｘ＋２，ｙ−１）、（ｘ＋３，ｙ−１）の重み付け係数には最も値の大きいＡが設定されている。その他の重み付け係数Ｂ、Ｃ、Ｄ、Ｅも、図５−１の例と同様に設定されており、分割領域が主被写体部の位置に対応する分割領域に近いほどその重み付け係数の大きさは大きくなる。
【００３９】
同様に、図４（３）に示されるように主被写体部の位置として撮像画像の右斜め下部分が指定され、該指定された位置に対応する分割領域が、（ｘ＋２，ｙ＋２）に位置する分割領域であった場合には、図５−３に示されるような重み付けテーブルに設定された重み付け係数が、分割測光値Evを算出する際に使用される重み付け係数として決定される。
【００４０】
また、図４（４）に示されるように、主被写体部の位置として撮像画像の左斜め上部分が指定され、該指定された位置に対応する分割領域が、（ｘ−２，ｙ−２）に位置する分割領域であった場合には、図５−４に示されるような重み付けテーブルに設定された重み付け係数が、分割測光値Evを算出する際に使用される重み付け係数として決定される。
【００４１】
また、図４（５）に示されるように、主被写体部の位置として撮像画像の左斜め下部分が指定され、該指定された位置に対応する分割領域が、（ｘ−２，ｙ＋２）に位置する分割領域であった場合には、図５−５に示されるような重み付けテーブルに設定された重み付け係数が、分割測光値Evを算出する際に使用される重み付け係数として決定される。
【００４２】
また、図４（６）に示されるように、主被写体部の位置として撮像画像の上部分が指定され、該指定された位置に対応する分割領域が、（ｘ，ｙ−２）に位置する分割領域であった場合には、図５−６に示されるような重み付けテーブルに設定された重み付け係数が、分割測光値Evを算出する際に使用される重み付け係数として決定される。
【００４３】
また、図４（７）に示されるように、主被写体部の位置として撮像画像の左部分が指定され、該指定された位置に対応する分割領域が、（ｘ−２，ｙ）に位置する分割領域であった場合には、図５−７に示されるような重み付けテーブルに設定された重み付け係数が、分割測光値Evを算出する際に使用される重み付け係数として決定される。
【００４４】
また、図４（８）に示されるように、主被写体部の位置として撮像画像の下部分が指定され、該指定された位置に対応する分割領域が、（ｘ，ｙ＋２）に位置する分割領域であった場合には、図５−８に示されるような重み付けテーブルに設定された重み付け係数が、分割測光値Evを算出する際に使用される重み付け係数として決定される。
【００４５】
また、図４（９）に示されるように、主被写体部の位置として撮像画像の右部分が指定され、該指定された位置に対応する分割領域が、（ｘ＋２，ｙ）に位置する分割領域であった場合には、図５−９に示されるような重み付けテーブルに設定された重み付け係数が、分割測光値Evを算出する際に使用される重み付け係数として決定される。
【００４６】
このように、全ての重み付けテーブルでは、分割領域が指定された位置に対応する分割領域に近いほどその重み付け係数の値が大きくなるように設定されている。
【００４７】
ステップ２０４では、上記決定された重み付け係数及びＡ／Ｄ変換部５０ａから入力した画像信号に基づいて分割測光値Evを算出する。以下、分割測光値Evの算出について詳細に説明する。
【００４８】
まず、図５−１〜図５−９に示すように、撮像画像を複数のエリア（８×８の６４個）に分割したときの各分割領域ごとに例えば高感度のＲ、Ｇ、Ｂ画像信号から求めた輝度信号を積算し、その積算値に基づいて各分割領域の測光値Eviを求める。続いて、上述のように決定した重み付け係数によって各測光値Eviの重み付け平均の演算を行い、撮像画像全体としての測光値（分割測光値Ev）を算出する。具体的な算出式を以下に示す。
【００４９】
【数１】
2006053250.tif 000003
【００５０】
なお、ｉは、分割領域の各々を示す添え字であり、上記の場合、０〜６３の値を取り得る。Σは、ここではｉを０から６３まで変化させていったときの数列の総和を示す。ΔEvbaseは、所定の感度（例えばＩＳＯ２００）を基準とした補正量であり、感度が変更されても、分割測光値Evが一定となるように調整するための値である。Ｗｉは、各分割領域ごとの重み付け係数であり、上記で決定された重み付け係数を用いる。
【００５１】
ステップ２０６では、算出した分割測光値Evを制御部３０に転送する。
【００５２】
制御部３０では、ステップ１０６で、ＤＳＰ４０から分割測光値Evが入力されたか否かを判断し、入力されたと判断した場合には、ステップ１０８で、撮影モードに応じた補正値ΔEvを読み出す。撮影モードに応じた補正値ΔEvは、不図示の不揮発性メモリ等に記憶されている。
【００５３】
ステップ１１０では、ＤＳＰ４０で算出された分割測光値Evを、次式に示すように撮影モードに応じた補正値ΔEvにより補正して撮影露出値EVを求める。
【００５４】
ＥＶ＝Ｅｖ±ΔＥｖ    …（２）
求めた撮影露出値EVは、メモリ３０ｂに記憶される。
【００５５】
ステップ１１２では、上記のようにして求めた撮影露出値EVに基づいて撮影時の絞り値とシャッタスピードを設定する。
【００５６】
ステップ１１４では、レリーズボタンが押下されて撮影が完了したか否かを判断する。撮影が完了したと判断した場合には、本処理ルーチンを終了する。なお、レリーズボタンが押下（全押し）されたときには、前記設定した絞り値になるようにモータドライバ３４を介して絞り２６を駆動し、前記設定したシャッタスピードとなるようにＣＣＤ駆動信号発生部５０ｂを介してＣＣＤ２８の電荷の蓄積時間を制御する。この状態で被写体を撮像して得られた画像信号は、所定の画像処理が施された後、記録メディアＩ／Ｆ３８を介して記録メディアに記録される。
【００５７】
以上説明したように、撮影時に操作者がタッチパネル機能付ＬＣＤ１２上で主被写体部（基準位置）をタッチ指定し、該指定した主被写体部の位置に応じて、撮像画像を複数領域に分割したときの各分割領域毎重み付け係数を決定し、該決定した重み付け係数及び各分割領域の測光値を用いて撮像画像全体の測光値（分割測光値）Evを算出し、算出した分割測光値Evに基づいて露出制御を行うようにしたため、撮影後ではなく、撮影時に簡易に主被写体部の位置を指定でき、更に該指定した位置を反映した適正な露出制御を行うことができる。
【００５８】
なお、上述した実施の形態では、重み付け係数で各分割領域の測光値Eviの重み付け平均を演算することにより分割測光値Evを算出する例について説明したが、これに限定されず、例えば、重み付け係数で重み付けした各分割領域の測光値Eviの総和を演算することにより分割測光値Evを算出するようにしてもよい。
【００５９】
また、上述した実施の形態では、デジタルカメラ１０を例に挙げて説明したが、本発明はこのような撮像装置だけに限定されるものではない。例えば、図２に示す電気系の構成の、ＬＣＤ１２、ＤＳＰ４０、及び制御部３０から構成される画像処理装置にも適用可能である。
【図面の簡単な説明】
【００６０】
【図１】本実施の形態に係るデジタルカメラの外観上の構成を示した図である。
【図２】デジタルカメラの電気系の主要構成を示した図である。
【図３】撮影時のデジタルカメラの露出制御動作の流れを示したフローチャートであり、（Ａ）が制御部の処理ルーチン、（Ｂ）がＤＳＰの処理ルーチンを示している。
【図４】操作者によって指定された主被写体部の位置の例を示した図である。
【図５−１】図４（１）の主被写体部の位置に対応する分割領域に対応付けられて記憶されている重み付けテーブルの一例である。
【図５−２】図４（２）の主被写体部の位置に対応する分割領域に対応付けられて記憶されている重み付けテーブルの一例である。
【図５−３】図４（３）の主被写体部の位置に対応する分割領域に対応付けられて記憶されている重み付けテーブルの一例である。
【図５−４】図４（４）の主被写体部の位置に対応する分割領域に対応付けられて記憶されている重み付けテーブルの一例である。
【図５−５】図４（５）の主被写体部の位置に対応する分割領域に対応付けられて記憶されている重み付けテーブルの一例である。
【図５−６】図４（６）の主被写体部の位置に対応する分割領域に対応付けられて記憶されている重み付けテーブルの一例である。
【図５−７】図４（７）の主被写体部の位置に対応する分割領域に対応付けられて記憶されている重み付けテーブルの一例である。
【図５−８】図４（８）の主被写体部の位置に対応する分割領域に対応付けられて記憶されている重み付けテーブルの一例である。
【図５−９】図４（９）の主被写体部の位置に対応する分割領域に対応付けられて記憶されている重み付けテーブルの一例である。
【符号の説明】
【００６１】
１０  デジタルカメラ
１２  タッチパネル機能付ＬＣＤ
１４  レンズ
２６  絞り
２８  ＣＣＤ
３０  制御部
３０ａ  撮影露出値算出部
３８  記録メディアＩ／Ｆ
４０  ＤＳＰ
４０ｂ  分割測光値算出部
５０  アナログＬＳＩ
７０  ペン型入力棒
【図１】
2006053250.tif 000004
【図２】
2006053250.tif 000005
【図３】
2006053250.tif 000006
【図４】
2006053250.tif 000007
【図５−１】
2006053250.tif 000008
【図５−２】
2006053250.tif 000009
【図５−３】
2006053250.tif 000010
【図５−４】
2006053250.tif 000011
【図５−５】
2006053250.tif 000012
【図５−６】
2006053250.tif 000013
【図５−７】
2006053250.tif 000014
【図５−８】
2006053250.tif 000015
【図５−９】
2006053250.tif 000016